(57)【特許請求の範囲】
【請求項１】
座面が上昇することにより屈伸運動を行う使用者をアシストする運動補助椅子において、
底面に移動手段が設けられると共に、上面側には使用者が座る座面が配置されたベースプレートと、
前記ベースプレートに立設された脚を介して配設された一対の肘掛けと、
前記肘掛けの前部と前記ベースプレートとを連結するようにして立設された支柱の上部に把手を有すると共に、床面に対して斜めに突出するようにして前記支柱の下部に設けられた接触子を有する運動ハンドルであって、前記支柱の長手方向を回転軸として前記支柱を回転させることにより前記接触子を床面に接触させ又は解除する運動ハンドルと、
付勢部材によって床面に接触可能に付勢されると共に、固定用ストッパ解除ハンドルによって前記床面との接触が解除されるよう形成された固定用ストッパと、
を備えて構成されたことを特徴とする運動用補助椅子。
【請求項２】
請求項１に記載の運動用補助椅子において、
前記接触子は球体をなし、前記運動ハンドルの前記支柱の回転動作によって前記接触子を前記床面に接触させ、又は、前記ベースプレート上に収容するようにしたことを特徴とする運動用補助椅子。
【請求項３】
請求項１又は２に記載の運動用補助椅子において、
前記固定用ストッパは、一対の脚の間に架け渡された軸に取り付けられると共に、前記付勢部材としてのスプリングによって前記床面方向に付勢され、
前記軸には、前記使用者によって操作される固定用ストッパ解除ハンドルが連結され、
使用者が前記固定用ストッパ解除ハンドルを操作することにより前記スプリングの付勢力に抗して前記固定用ストッパと床面との接触が解除され、使用者が固定用ストッパ解除ハンドルを離すと前記スプリングの付勢力によって前記固定用ストッパが前記床面と接触するように形成されていることを特徴とする運動用補助椅子。
【発明の詳細な説明】
【技術分野】
【０００１】
本発明は、運動用補助椅子に関し、さらに詳しくは、高齢者やリハビリを行う人がトレーニングとして使用するのみならず通常の椅子としても使用可能な運動用補助椅子に関する。
【背景技術】
【０００２】
わが国の高齢化は急速に進行しており、人口に対する高齢者の割合が大幅に上昇している。高齢者の多くは足腰の衰えや関節痛などに悩まされていることから椅子に腰掛けて生活している人が多い。このような人達にとって、椅子に腰掛けたり立ち上がったりする動作はかなりの負担になる。そのため、高齢者や障害者が椅子から立ち上がる際の負担の軽減を解消すべく、例えば、特開平８−６７０号公報（特許文献１）、特開平８−１１２３１４号公報（特許文献２）、特開２００４−２６７４１０号公報（特許文献３）などによって種々の提案がなされている。
【先行技術文献】
【特許文献】
【０００３】
【特許文献１】特開平８−６７０号公報
【特許文献２】特開平８−１１２３１４号公報
【特許文献３】特開２００４−２６７４１０号公報
【発明の概要】
【発明が解決しようとする課題】
【０００４】
しかしながら、上述した各特許文献に示された椅子は、床面に固定した状態での使用を前提にしており、椅子の移動を安全、且つ、容易に行えるようにすることはあまり考慮されていない。このため、使用者が椅子をテーブル側に移動させようとした場合、椅子を持ち上げるのに大きな力が必要となったり、力不足等で椅子をうまく移動できないことがある。この場合、椅子にキャスター等の移動手段を取り付ければ椅子の移動は容易になるものの、容易に動き過ぎるので運動補助椅子として使用する場合や、使用者が座ったり、立ち上がったりする際の反動によって椅子が後方に簡単に押しやられて使用者が転倒するおそれがあり大変に危険であるという問題があった。また、椅子の肘掛けが前方に突出している構造の椅子の場合、肘掛けが邪魔になってテーブルの近くに接近させることができないという問題があった。
【０００５】
そこで、本発明は、かかる問題点に鑑みなされたもので、所望の位置に容易かつ安全に移動させることができ、かつ、使用時には椅子が不用意に動かないようにすることが可能な運動用補助椅子を提供することを目的とする。
【課題を解決するための手段】
【０００６】
上記課題を解決するために請求項１に記載の発明は、座面が上昇することにより屈伸運動を行う使用者をアシストする運動補助椅子において、底面に移動手段が設けられると共に、上面側には使用者が座る座面が配置されたベースプレートと、前記ベースプレートに立設された脚を介して配設された一対の肘掛けと、前記肘掛けの前部と前記ベースプレートとを連結するようにして立設された支柱の上部に把手を有すると共に、床面に対して斜めに突出するようにして前記支柱の下部に設けられた接触子を有する運動ハンドルであって、前記支柱の長手方向を回転軸として前記支柱を回転させることにより前記接触子を床面に接触させ又は解除する運動ハンドルと、付勢部材によって床面に接触可能に付勢されると共に、固定用ストッパ解除ハンドルによって前記床面との接触が解除されるよう形成された固定用ストッパとを備えて構成されたことを特徴とする運動用補助椅子を提供することを目的とする。
【０００７】
上記課題を解決するために請求項２に記載の本発明は、請求項１に記載の運動用補助椅子において、前記接触子は球体をなし、前記運動ハンドルの前記支柱の回転動作によって前記接触子を前記床面に接触させ、又は、前記ベースプレート上に収容するようにしたことを特徴とする。
【０００８】
上記課題を解決するために請求項３に記載の本発明は、請求項１又は２に記載の運動用補助椅子において、前記固定用ストッパは、一対の脚の間に架け渡された軸に取り付けられると共に、前記付勢部材としてのスプリングによって前記床面方向に付勢され、前記軸には、前記使用者によって操作される固定用ストッパ解除ハンドルが連結され、使用者が前記固定用ストッパ解除ハンドルを操作することにより前記スプリングの付勢力に抗して前記固定用ストッパと床面との接触が解除され、使用者が固定用ストッパ解除ハンドルを離すと前記スプリングの付勢力によって前記固定用ストッパが前記床面と接触するように形成されていることを特徴とする。
【発明の効果】
【０００９】
本発明に係る運動用補助椅子によれば、運動補助椅子を所望の位置に容易かつ安全に移動させることができ、かつ、使用時には椅子が不用意に動かないようにすることができるという効果がある。
また、本発明に係る運動用補助椅子によれば、固定用ストッパが常に床面側に付勢された状態で接触しているのでしっかりと床面に固定されると共に、椅子の前方に突出した運動時に使用する把手が肘掛けの先端よりも内側に収容できるのでテーブルに向かったときでも運動ハンドルが邪魔にならないという効果がある。
【図面の簡単な説明】
【００１０】
【図１】本発明に係る運動用補助椅子の一実施形態を上方向から見た斜視図である。
【図２】図１に示す運動用補助椅子を下側から見た斜視図である。
【図３】図１に示す運動用補助椅子の正面図である。
【図４】図１に示す運動用補助椅子の平面図である。
【図５】図１に示す運動用補助椅子の後方から見た斜視図である。
【図６】使用者Ｍが運動用補助椅子から立ち上がる操作を示す斜視図である。
【図７】図１に示す運動用補助椅子の把手を後退させた状態を示す斜視図である。
【発明を実施するための形態】
【００１１】
［運動用補助椅子の構成］
以下、本発明に係る運動用補助椅子について、好ましい一実施形態に基づいて詳細に説明する。図１は本発明に係る運動用補助椅子の一実施形態を上方向から見た斜視図、図２は図１に示す運動用補助椅子を下側から見た斜視図、図３は図１に示す運動用補助椅子の正面図、図３は図１に示す運動用補助椅子の正面図、図４は図１に示す運動用補助椅子の平面図、図５は図１に示す運動用補助椅子の後方から見た斜視図である。
【００１２】
図示された運動用補助椅子１は、概略として、各コーナ部の下面に移動手段である４つのキャスター１１，１１を有する平板状のベースプレート１２と、このベースプレート１２の後側に立設された２本の脚１３、１３と、ベースプレート１２の上面に設置された箱体１４と、この箱体１４の上面の前部に蝶番によって取り付けられて使用者が腰掛けるための座面１５と、脚１３、１３の上部に一端が固定された状態で水平に設置された２つの肘掛け１６、１６と、脚１３、１３の上部間に取り付けられた背もたれ１７と、肘掛け１６、１６の前部とベースプレート１２との間に少なくとも半回転（例えば１７０°）可能に介在させた運動ハンドル１８、１８とを備えて構成されている。
【００１３】
図２に示すように、一対の脚１３、１３の間にはその間に架け渡された軸２２が回転可能に横設されており、軸２２の両端にはレバー形状の固定用ストッパ解除ハンドル２１、２１が上方に伸びるように連結され、さらに、軸２２の両端にはＪ字形状をしたストッパ本体２３、２３が床面側に向かって下方に伸びるように連結されており、ストッパ本体２３、２３の途中の下端側近くには一対のスプリング２０、２０の一方側端部が取り付けられている。スプリング２０，２０の反対側の端部はベースプレート１２に固定されている。また、ストッパ本体２３、２３の下端には床面と接触する固定用ストッパ１９、１９が取り付けられている。このように、固定用ストッパ１９、１９は上述した一対のスプリング２０、２０によって床方向に付勢されているので固定用ストッパ１９、１９の先端面は運動用補助椅子１の設置面（床面）に常時圧接している（図５参照）。そのため、運動用補助椅子１が容易に移動するのが防止されている。かかる構成により、使用者Ｍが固定用ストッパ解除ハンドル２１、２１を操作することによりスプリング２０の付勢力に抗して固定用ストッパ１９と床面との接触が解除され、使用者Ｍが固定用ストッパ解除ハンドル２１、２１を離すとスプリング２０、２０の付勢力によって固定用ストッパ１９、１９が床面と接触する。固定用ストッパ１９、１９の床面に接触する部分はゴム等の滑りにくい素材を用いるのが望ましい。また、本実施形態では固定用ストッパ解除ハンドル２１、２１を左右の２箇所に設けたのは使用者が利き手で操作することができるようにしたためであり、また、介助者がいる場合には介助者が操作しやすい側を使えるようにしたためである。尚、固定用ストッパ解除ハンドル２１、２１は、左右のいずれか一方側のみに設けることもできる。
【００１４】
箱体１４の内部には図示しないリンクバネ機構が内蔵されている。このリンクバネ機構は、例えば、特開２００７−１０７６７８号公報や特許第３７９５０５７号公報に示されているものと同じである。このリンクバネ機構を椅子に組み込むことによって立ち上がり補助椅子を構築することができ、使用者が椅子に腰掛けたり立ち上がったりする動作を補助しながらそれを繰り返すことによって適度な運動を行うことが可能になっている。リンクバネ機構について簡単に説明すると、Ｘ字状に交差させた２つのリンクプレートを互いに向かい合わせに配置し、上端部及び下端部をそれぞれ軸で連結すると共に、さらに上端部及び下端部にリンクプレートを連設し、軸にスプリングを架け渡すことによって全体があたかも一つのバネのように可動するリンクバネ機構が形成される。このようなリンクバネ機構が箱体１４の内部に収容されており図示しないリンクバネ機構に結合された上側部分１４０が使用者Ｍの着席状況に応じて昇降し、使用者Ｍが立ち上がる動作を行うことにより座面１５から臀部を浮かせるのに伴って図５及び図７に示すように上側部分１４０が上昇し、且つ、座面１５が約５５°に前傾するようになっている。
【００１５】
座面１５は図示しない蝶番によって箱体１４の前部に取り付けられており、蝶番にスプリングが組み込まれていることにより座面１５に対する荷重が現象するのに伴い座面１５
が回動し、最終的には上記した角度となる。
【００１６】
運動ハンドル１８、１８は、上部が前方及び上方に２回曲げられたクランク形状の支柱１８４を備え、肘掛け１６の前部（先端側）とベースプレート１２とを連結するようにして立設されている。支柱１８４の上端には把手１８２、１８２が設けられていると共に、下方には球状の接触子１８０、１８０が床面に対して斜めに傾斜するようにして取り付けられたバー１８１、１８１の先端に取り付けられている。そして、バー１８１、１８１と接触子１８０、１８０の連結部はベースプレート１２の支点部１８３によって軸支されている。このような構成により、運動ハンドル１８、１８は、支柱１８４の長手方向を軸として全体が回転（図示された実施形態では約１７０°回転）できるようになっている。これにより、接触子１８０、１８０を床面に接触させ、あるいは、ベースプレート１２の上部側に収容するようすることができるようになっている。
【００１７】
［運動用補助椅子の操作］
次に、上述した運動用補助椅子１の操作とその動作について説明する。固定状態の運動用補助椅子１は、図１〜図４に示す状態になっている。まず初めに、使用者Ｍの座高等に合わせて座部１２の高さ位置を調整する。そのためには、使用者または介助者によって箱体１４の内部に設けられたリンクバネ機構の操作部を調整して座面１５の高さを調整する。そして、リンクバネ機構に付属する弾性部材のバネ圧を使用者の体重等に応じて調整する。
【００１８】
ストッパ本体２３、２３は、スプリング２０、２０によって常に引っ張られているので固定用ストッパ１９、１９の下面は床面方向に付勢されている。そのために固定用ストッパ１９、１９は常に床面に圧接された状態となっている。このため、ベースプレート１２の移動、すなわち、運動用補助椅子１は床面に固定された状態となっており、移動が阻止された状態となっている。したがって、使用者Ｍが体を動かしたり他の人が運動用補助椅子１に接触したりしても運動用補助椅子１は簡単には動かない。
【００１９】
一方、運動ハンドル１８、１８の把手１８２、１８２を肘掛け１６、１６の前方に位置させた使用状態では、バー１８１、１８１の先端に取り付けられた接触子１８０、１８０が前方の斜め下側に突出する状態となっているので接触子１８０、１８０は床面と密着固定された状態となっている。従って、運動用補助椅子１は、固定用ストッパ１９、１９と接触子１８０、１８０によってしっかりと床面に固定された状態となっており、使用者は把手１８２、１８２を握りながら屈伸運動等を行うことができる（図６参照）。
【００２０】
次に、使用者Ｍが座面１５に座ったまま運動用補助椅子１を移動させたい場合、使用者Ｍは、運動ハンドル１８、１８を回転させて把手１８２、１８２を肘掛け１６、１６側に移動させる。この運動ハンドル１８、１８の回転動作により接触子１８０、１８０も回転し、床面から離れてベースプレート１２の上に収容された状態とする（図７参照）。そして、使用者Ｍは、さらに固定用ストッパ解除ハンドル２１、２１の上部を手で持って前方へ倒す。この操作によって固定用ストッパ１９、１９がスプリング２０、２０に抗して床面から浮き上がり、ベースプレート１２がキャスター１１によって自由に動かせるようになる。そして、使用者Ｍが所望の方向に足や腰を使って運動用補助椅子１を押したり引いたりする動作を行うと、運動用補助椅子１を所望の方向、例えば、テーブルの近くへ移動させることができる。運動用補助椅子１が所望の位置に移動したら使用者Ｍは固定用ストッパ解除ハンドル２１、２１から手を離す。すると固定用ストッパ解除ハンドル２１、２１はスプリング２０、２０の弾性力によって元の位置に戻り、固定用ストッパ１９、１９の下面が床面に圧接し、ベースプレート１２の移動、即ち運動用補助椅子１が移動できないようになる。
【００２１】
ここで、運動用補助椅子１が使用状態にあるか、把手１８２、１８２が肘掛け１６、１６よりも前方にあるときには、把手１８２、１８２がテーブル等へ接近したときにテーブル等の縁に接触する可能性がある。しかし、使用者Ｍが把手１８２、１８２を後方へ１７０°回すように操作することにより運動用補助椅子１は図５及び図７に示す状態になり、把手１８２、１８２及び運動ハンドル１８、１８の上部が肘掛け１６、１６に平行して運動用補助椅子１の前部から突出しないようになる。したがって、運動用補助椅子１をテーブル等に接近させることができる。
【００２２】
また、運動用補助椅子１を保管する等の場合にも、図５及び図７に示すように運動ハンドル１８、１８を回転させて把手１８２、１８２を後方へ回すように操作することにより把手１８２、１８２を収肘掛け１６、１６側に位置させ、接触子１８０、１８０をベースプレート１２上に収容することかできる。このような状態にすることで本体部分から突出する邪魔な部分がなくなるので、保管等に際して省スペースが図れ、また、近くを通る歩行者が接触子１８０、１８０につまずいたり、把手１８２、１８２に引っ掛かったりすることがなく安全性が向上する。
また、使用者Ｍは椅子から降りて固定用ストッパ解除ハンドル２１、２１を操作して床面との接触を解除することで運動用補助椅子１を簡単に移動させることができるので所定の場所に容易に収納することができる。
【００２３】
［実施形態の効果］
本実施形態に係る運動用補助椅子１は、接触子１８０、１８０及び把手１８２、１８２を備えた回動自在な運動ハンドル１８、１８を備えることにより、運動用補助椅子１を所望の位置に容易に移動させることができると共に、運動用補助椅子１が不用意に動かないようにすることができるという効果がある。
また、本実施形態に係る運動用補助椅子１は、運動ハンドル１８、１８を回転することにより本体部分から突出物が突出しないようにすることができ、保管が容易になると共に、使用者Ｍに対する安全性を向上させることができるという効果がある。
また、本実施形態に係る運動用補助椅子１は、運動ハンドル１８、１８を回転させることで肘掛け１６、１６よりも前方に突出する把手１８２、１８２を肘掛け１６、１６側に収容可能とすると共に常に床面と接触する固定用ストッパ１９、１９を設けたので通常の椅子としても何不自由なく使用できることができるという効果がある。
【００２４】
以上のように、本発明の好ましい実施形態について詳述したが、本発明は係る特定の実施形態に限定されるものではなく、特許請求の範囲に記載された本発明の要旨の範囲内において、種々の変形・変更が可能であることはいうまでもない。
【符号の説明】
【００２５】
１      運動用補助椅子
１１    キャスター
１２    ベースプレート
１３    脚
１４    箱体
１５    座面
１６    肘掛け
１８    運動ハンドル
１９    固定用ストッパ
２０    スプリング
２１    固定用ストッパ解除ハンドル
２２    軸
２３    ストッパ本体
１４０  上側部分
１８０  接触子
１８１  バー
１８２  把手
１８３  支点部
１８４  支柱
【図１】
0005443432.tif 000002
【図２】
0005443432.tif 000003
【図３】
0005443432.tif 000004
【図４】
0005443432.tif 000005
【図５】
0005443432.tif 000006
【図６】
0005443432.tif 000007
【図７】
0005443432.tif 000008